(57)【要約】      （修正有）【課題】サイズが異なる複数の定形用紙を、その異なるサイズに合わせて三つ折りできる紙折り器を提供する。【解決手段】紙折り器は、マグネットを引き付ける材質の台板１の上部に用紙の下縁辺を当接する横桟定規２を固定すると共に、用紙の下縁辺を外れないように挟持する突起体３を横桟定規２に設け、台板１の平面に定形用紙の長辺サイズにおける３分の１の長さを示す目盛り表示４を表示し、目盛り表示４の位置で用紙の上縁辺を当接する磁気を帯びた紙折り設定定規５を台板１に離反できるように吸着載置し、用紙の上縁辺を外れないように挟持する突起体６を紙折り設定定規５に設けた。【選択図】図２
0003230085.tif 000002
【実用新案登録請求の範囲】
【請求項１】
マグネットを引き付ける材質の台板（１）の上部に用紙（Ｐ）にした下縁辺（Ｐ″）を当接する当接部（２′）を有する横桟定規（２）を固定し、当該用紙（Ｐ）の下縁辺（Ｐ″）を当接部（２′）から外れないように挟持する突起体(３)を横桟（２）に設け、台板（１）の平面に定形用紙の長辺サイズにおける３分の１の長さを示す目盛り表示（４）を表示し、当該目盛り表示（４）の位置で用紙（Ｐ）の上縁辺（Ｐ′）を当接する当接部（５′）を有する磁気を帯びた紙折り設定定規（５）を台板（１）に離反可能に吸着載置し、当該用紙（Ｐ）の上縁辺（Ｐ′）を当接部（５′）から外れないように挟持する突起体(６)を紙折り設定定規（５）に設けたことを特徴とする紙折り器。
【請求項２】
台板（１）の長辺サイズにおける３分の１の長さを示す目盛り表示（４）をＡ５・Ｂ５・Ａ４・Ｂ４・Ａ３の順に表示し、固定横桟（２）を複数の突起片（３′）又は単一の突起辺（３″）に成形し、及びマグネットシート製の紙折り設定定規（５）の突起体（６）を複数の突起片（６′）又は単一の突起辺（６″）に成形し、その突起体（３）・（６）の下面に紙厚分程度の段差を付け、且つ当該突起体の下面を非磁気性にした請求項１記載の紙折り器。
【請求項３】
台板（１）の片側又は両側辺に沿って目盛定規（８）を表示し、紙折り設定定規（５）をマグネットシートとし、紙折り設定定規（５）の片側又は両側に摘み片（７）を設けた請求項１又は請求項２記載の紙折り器。
【考案の詳細な説明】
【技術分野】
【０００１】
本考案は、サイズが異なる複数の定形用紙を、その異なるサイズに合わせて三つ折りできる紙折り器に関するものである。
【背景技術】
【０００２】
一般に、社用便やダイレクトメール又は書状として普及している例えばＡ４判の定形用紙を封筒に入れるときには縦長の用紙を三つ折りに折り畳むことが行われる。この場合、大量枚数の紙折りには業務用の専用紙折り機が存在するが、数枚から数十枚程度の場合は、比較的高価な業務用の紙折り機を購入したりするのは不経済である。
【０００３】
ところで、定形用紙を人手で三つ折りする際には、紙折り作業をする者が目分量で最初に３分の１の折り幅を決めて折り畳み、次いで３分の２の折り幅を決めて折り畳むのであるが、最初の３分の１の折り幅が正確でないと綺麗に三つ折りに折り畳むことができない。
【０００４】
上記の問題を解決するために従来においても種々の発明が開示されている。
例えば特許文献１にあっては、台板に設けた三つ折りの３分の１幅程のマグネットシートで横長においた用紙の中央幅を押さえ、マグネットシート挟む右・左の順に折り畳んで三つ折りにする。
【０００５】
また、特許文献２は三つ折りする用紙の長手の３分の１幅を成す左右一対のプレートを蝶番で開閉できるように構成し、そのプレートの蝶番に接するように定形用紙を載置して当該一対のプレートを閉じ、プレート外にはみ出している３分の２幅の用紙を閉じているプレートの横幅に巻き付けるように折畳むようになっている。
【０００６】
そして、特許文献３は四つの平面部と三つの折り目を有するシートから成り、第１の折り目から右端の平面部を折り畳んで第２の平面部に合わせて折畳み、その折り畳んだ間に縦長の用紙を折り目に届くまで差し入れ、あとは第２の折り目、第３の折り目の順に第３の平面部、第４の平面部を巻くように折り畳むようになっている。
【０００７】
さらに、特許文献４は紙をシートと下シートの間に、鋲に当たるまで挿通した後、下シートを紙と共に折り目で曲げ、且つ折り目の圧力によって、紙は刃形に添うように折れる構成にしてある。
【先行技術文献】
【特許文献】
【０００８】
【特許文献１】特開２０１２−  ７６８３２号公報
【特許文献２】特開２００１−１３８６９１号公報
【特許文献３】特開平１０−  １２９９２５号公報
【特許文献４】特開平１０−    １７２０４号公報
【考案の概要】
【考案が解決しようとする課題】
【０００９】
ところが、特許文献１の用紙を押さえるためのプレート部材と、特許文献２の用紙を挟む左右一対のプレート、特許文献３の紙を挟み込んで巻き込むためのシートはいずれも板厚の厚みがあるので、これらのプレート部材やシートに巻き付けるとその板厚分の細幅が生じ、きっちりした一筋の折り目になりに
くいという問題がある。
【００１０】
また、特許文献１と特許文献２にあっては、一致のサイズ専用の紙折り器具や補助具であるから、他のサイズに適用するにはそれぞれ専用の器具等を用意しなければならない。また、特許文献３にあっては、２種類のサイズに適用できるようになっているが、それ以上の異なるサイズには適用できない問題がある。さらに、特許文献４にあっては、紙の先端が当たる少なくとも２個一対の鋲を紙のサイズが異なる度に付け変える必要がある。また、紙に折り目を付けるのに上下のシート間に差し込んだ紙を刃形に添って折り曲げる構成は本考案とは異なる。
【００１１】
本考案は、上記の問題を解決するために提供するものである。
本考案の第１は紙折り器において、マグネットを引き付ける材質の金属製台板の上部に用紙の下縁辺（他端の縁辺）を当接する横桟定規を固定すると共に、当該用紙の上縁辺を外れないように挟持する突起体を横桟定規に設け、台板の平面に定形用紙の長辺サイズにおける３分の１の長さを示す目盛りを表示し、当該目盛りの位置で用紙の上縁辺を当接する磁気を帯びている紙折り設定定規を離脱できるように台板に載置し、当該用紙の下縁辺（一端端の縁辺）を外れないように挟持する突起体を紙折り設定定規に設けたものである。
【００１２】
本考案の第２は第１の考案に係る紙折り器において、台板の長辺サイズにおける３分の１の長さを示す目盛りをＡ５・Ｂ５・Ａ４・Ｂ４・Ａ３の順に表示し、固定横桟定規及び紙折り設定定規の突起体を複数の突起片又は単一の突起辺に成形し、その突起体の下面を紙厚分程度の段差を付け、且つ当該突起体下面を非磁気性にしたものである。
【００１３】
本考案の第３は第１又は第２の考案に係る紙折り器において、台板の片側又は両側辺に沿って目盛定規を表示し、紙折り設定定規をマグネットシートとし、紙折り設定定規の片側又は両側に摘み片を設けたものである。
【考案の効果】
【００１４】
本考案は上記の構成であるから、次のような作用効果がある。
第１に、手作業で用紙の上縁辺を固定横桟定規に当接し、用紙の下縁辺を紙折り設定定規に当接触させて用紙の３分２の長さ付近を軽く押し下げるだけで紙折り設定定規に接している下縁辺から３分の１の長さで１つ目の折り線を付けて折り曲げることができる。あとは、用紙を紙折り器から外して用紙の上縁辺を当該３分の１の折り線に合わせて残りの３分２に長さの真ん中を押し下げると２つ目の折り線が付けられて簡単に三つ折りできる。
【００１５】
第２に、固定横桟定規と紙折り設定定規に突起体が設けられているから、用紙に上縁辺と下縁辺を当該横桟定規及び紙折り設定定規に当接したときに適度に抑止して外れことがなく、三つ折り操作を容易確実に行うことができる。
【００１６】
第３に、台板の平面上にＡ５・Ｂ５・Ａ４・Ｂ４・Ａ３の定形用紙の長手サイズの３分の１に長さ目盛りを表示したので、三つ折りしようとする用紙の３分の１の長さ位置にマグネット製紙折り設定具の当接部を合わせて載置するだけで台板に引き付けられて固定し、三つ折りに重要な３分の１の折り線位置を正確かつ簡単に求めることができる。
【００１７】
第４に台板の片側又は両側に長さ目盛り定規を表示したから、定形用紙以外の不規則サイズの用紙であっても３分の１のサイズを測定確認して設定することができる。
【００１８】
第５に、本考案に係る紙折り器１台で用紙の長辺サイズがＡ５判・Ｂ５判・Ａ４判・Ｂ４判・Ａ３判及びその他のサイズであっても迅速かつ正確な三つ折りができる。
【図面の簡単な説明】
【００１９】
【図１】本考案に係る紙折り器の平面図である。
【図２】図１の紙折り器に紙折り設置定規を載置した平面図である。
【図３】図１の３−３線に沿う断面図である。
【図４】図２の紙折り設定定規の斜視図である。
【図５】図４の紙折り設定定規の他の実施例を示す斜視図である。
【図６】紙折り工程１の側面図である。
【図７】紙折り工程２の側面図である。
【図８】紙折り工程３の側面図である。
【図９】紙折り工程４の側面図である。
【図１０】紙折り工程５の側面図である。
【考案を実施するための形態】
【００２０】
サイズが異なる複数の定形用紙を、その異なるサイズに合わせて三つ折りできるようにするために、金属製台板の上縁辺側の固定横桟定規に用紙の上縁辺を当接し、用紙の他端の下縁辺を紙折り設定定規に当接させて用紙の３分２の長さ付近を押し下げるだけで用紙の下縁辺から３分の１の長さで１つ目の折り線を付けて折り曲げ、残りの３分の２の長さの真ん中を押し下げて２つ目の折り線を付けて三つ折りを実現した。
【実施例】
【００２１】
本考案の実施例を図面に即して説明する。図１〜図５において、１は縦長矩形の台板であり、少なくとも表面が金属のようなマグネット（＝磁気）を引き付ける材質を可とする。２は台板１の上縁辺に固定した用紙の上縁辺を当接させるための横桟定規、３はその横桟定規２の用紙当接部に当接する用紙の上縁辺を差し込むための突起体であり、当該横桟定規２に一体に設けてある。図１〜図４にあっては複数の三角突起片３′を成形してある。当該三角突起片はその突端を円形（図示省略）にすることもできる。また、三角突起片に代えて半円形や楕円形の突起片にすることも可能である。なお、図５に示すように突起体を長い単一の突起辺３″にすることもできる。突起体３の厚さｔ′を横桟定規２の厚さｔより少なくとも紙厚分程度薄くしてある。
【００２２】
４は台板１の平面に表示した各種定形用紙Ｐの長辺サイズにおける３分の１の長さを示す目盛り表示である。５は当該目盛り表示４の位置で用紙の上縁辺Ｐ′を当接するマグネットシート製横桟定規形の紙折り設定定規である。当該設定定規５は定形用紙における縦辺サイズの３分の１の長さに設定してある。なお、ここで定形用紙とは、JIS規格に基づくＡ判及びＢ判の用紙サイズのことをいう。
【００２３】
６は当該紙折り設定定規５の用紙当接部５′に当接する用紙Ｐの上縁辺Ｐ′を差し込むための突起体であり、紙折り設定定規５に一体に設けてある。当該突起体６は、図２〜図４にあっては複数の三角形突起片６′を成形してある。なお、図５に示すように突起体６を長い単一の突起辺６″にすることもできる。突起体６の厚さｔ′を紙折り設定定規５の厚さｔより少なくとも紙厚分薄くしてある。７は紙折り設定定規５の片側又は両側に設けた摘み片、８は台板１の片側又は両側の縦辺に沿って長さ測定用の目盛り定規（単位：ｍｍ）である。
【００２４】
[具体的な三つ折り行程（297ｍｍ×210ｍｍのＡ４判用紙使用）]
（１）図１及び図３において、マグネットを引き付ける材質の台板１にマグネットシートから成る紙折り設定定規５を、その当接部５′をＡ４判の長辺（297ｍｍ）の３分の１のサイズ（99ｍｍ）の目盛表示４に合わせて吸着する。このとき、突起体６の突起片６′（図４）又は突起辺６″（図５）は台板１の下方に向いて用紙の差込み口になっている。（図２）
（２）用紙Ｐの縦長方向の上縁辺Ｐ′を台板１の平面と紙折り設定定規５の突起体６（6′、６″）との間隙ｇに差し込んで当接部５′に当接させる。（図６）
（３）次に用紙Ｐの下縁辺Ｐ″を台板１の横桟定規２の平面部と突起体３との間隙ｇ′に差し込んで当接部２′に当接させる。当該突起体３は用紙の差込み口になっている。（図７）
（４）図７の状態において湾曲している用紙Ｐの３分の２（198ｍｍ）の長さの後半部Ｐｎを押し下げて３分の１の長さ（99ｍｍ）と区画する第１の折り線９を形成する。（図８）
（５）図８の状態において、用紙Ｐを台板１から外して３分の２の長さ（198ｍｍ）部分を上向きに湾曲に折り返して用紙Ｐの下縁辺Ｐ″を第１の折り線９に近接する。（図９）
（６）図９の状態において、湾曲している３分の２の長さ（198ｍｍ）部分を押し下げて第２の折り線１０を形成して三つ折りを完成させる。（図１０）
【００２５】
実施例はＡ４判の三つ折り例を示すが、Ａ５判・Ｂ５判・Ｂ４判・Ａ３判等の定形用紙の三つ折りも容易正確に行える。また、必ずしも定形サイズにならない便箋その他不揃いの用紙であっても、目盛り定規８で予め三つ折りしようとする用紙Ｐを縦長方向の３分の１の長さに設定した位置に紙折り設定定規５を台板１に引き付けておけば容易且つ正確に三つ折りすることができる。
【産業上の利用可能性】
【００２６】
本考案は、定形用紙は勿論のこと、不定形の用紙であってもきわめて簡単な構成で容易且つ正確に三つ折りできる紙折り器を提供することが可能である。
【符号の説明】
【００２７】
１…台板
２…横桟定規
２′…用紙の下縁辺当接部
３…突起体
３′…突起片
３″…突起辺
４…縦長用紙の３分の１の長さを示す目盛り表示
５…紙折り設定定規
５′…用紙の上縁辺当接部
６…紙折り設定定規の突起体
６′…突起片
６″…突起辺
７…紙折り設定定規の摘み
８…目盛り定規
ｇ…台板と突起体との間隙
Ｐ…用紙
Ｐ′…用紙の上縁辺（一端の縁辺）
Ｐ″…用紙の下縁辺（他端の縁辺）
ｔ…横桟定規と紙折り設定定規の板厚
ｔ′…突起体の板厚
【図１】
0003230085.tif 000003
【図２】
0003230085.tif 000004
【図３】
0003230085.tif 000005
【図４】
0003230085.tif 000006
【図５】
0003230085.tif 000007
【図６】
0003230085.tif 000008
【図７】
0003230085.tif 000009
【図８】
0003230085.tif 000010
【図９】
0003230085.tif 000011
【図１０】
0003230085.tif 000012
【手続補正書】
【提出日】令和2年10月15日(2020.10.15)
【手続補正１】
【補正対象書類名】明細書
【補正対象項目名】００２３
【補正方法】変更
【補正の内容】
【００２３】
６は当該紙折り設定定規５の用紙当接部５′に当接する用紙Ｐの上縁辺Ｐ′を差し込むための突起体であり、折り設定定規５に一体に設けてある。当該突起体６は、図２〜図４にあっては複数の三角形三角形突起片６″を成形してある。なお、図５に示す突起体６を長い単一の突起辺６″にすることもできる。突起体６の厚さｔ′を紙折り設定定規５の片側又は両側に設けた摘み片、８は台板１の片側又は両側の縦辺に沿って長さ測定用の目盛り定規（単位：ｍｍ）である。図４及び図５において、突起片６′又は突起辺６″の突出長さＩは、これに差し込んだ用紙Ｐが外れずに押さえられる長さを可とするが、１０ｍｍ程度を可とする。なお、図１及び図２の突起片３の突出長さも紙折り設定定規５の突起片６′と同じとする。
【手続補正２】
【補正対象書類名】明細書
【補正対象項目名】００２５
【補正方法】変更
【補正の内容】
【００２５】
実施例はＡ４判の三つ折り例を示すが、Ａ５・Ｂ５・Ｂ４・Ａ３等の定形用紙の三つ折りも容易且つ正確に行える。また、必ずしも定形サイズにならない便箋その他サイズが不揃いの用紙、例えば一万円札の紙幣であっても、目盛り定規８で予め三つ折りしようとする用紙Ｐを縦長方向の３分の１の長さに設定した位置に紙折り設定定規５を台板１に引き付けておけば容易且つ正確に三つ折りすることができる。
【手続補正３】
【補正対象書類名】明細書
【補正対象項目名】００２６
【補正方法】変更
【補正の内容】
【００２６】
本考案は、定形用紙は勿論のこと、例えば子供へのお年玉やお小遣いとして一万円札又は五千円札や千円札などの紙幣を三つ折りにして小型の祝儀袋やポチ袋に入れて渡すにも便利である。その他、不定形の用紙であってもきわめて簡単な構成で容易且つ正確に三つ折りできる紙折り器を提供することが可能である。
【手続補正書】
【提出日】令和2年10月27日(2020.10.27)
【手続補正１】
【補正対象書類名】実用新案登録請求の範囲
【補正対象項目名】全文
【補正方法】変更
【補正の内容】
【実用新案登録請求の範囲】
【請求項１】
マグネットを引き付ける材質の台板（１）の上部に用紙（Ｐ）の下縁辺（Ｐ″）を当接する当接部（２′）を有する横桟定規（２）を固定し、当該用紙（Ｐ）の下縁辺（Ｐ″）を当接部（２′）から外れないように挟持する突起体(３)を横桟定規（２）に設け、台板（１）の平面に定形用紙の長辺サイズにおける３分の１の長さを示す目盛り表示（４）を表示し、当該目盛り表示（４）の位置で用紙（Ｐ）の上縁辺（Ｐ′）を当接する当接部（５′）を有する磁気を帯びた紙折り設定定規（５）を台板（１）に離反可能に吸着載置し、当該用紙（Ｐ）の上縁辺（Ｐ′）を当接部（５′）から外れないように挟持する突起体(６)を紙折り設定定規（５）に設けたことを特徴とする紙折り器。
【請求項２】
台板（１）の長辺サイズにおける３分の１の長さを示す目盛り表示（４）をＡ５・Ｂ５・Ａ４・Ｂ４・Ａ３の順に表示し、横桟定規（２）を複数の突起片（３′）又はは単一の突起辺（３″）に成形し、及びマグネットシート製の紙折り設定定規（５）の突起体（６）を複数の突起片（６′）又は単一の突起辺（６″）に成形し、その突起体（３）・（６）の下面に紙厚分程度の段差を付け、且つ当該突起体の下面を非磁気性にした請求項１記載の紙折り器。
【請求項３】
台板（１）の片側又は両側辺に沿って目盛定規（８）を表示し、紙折り設定定規（５）をマグネットシートとし、紙折り設定定規（５）の片側又は両側に摘み片（７）を設けた請求項１又は請求項２記載の紙折り器。